【手続補正書】
【提出日】平成18年2月3日(2006.2.3)
【手続補正１】
【補正対象書類名】明細書
【補正対象項目名】発明の名称
【補正方法】変更
【補正の内容】
【発明の名称】原稿照明装置、原稿読取装置及び画像形成装置
【手続補正２】
【補正対象書類名】明細書
【補正対象項目名】特許請求の範囲
【補正方法】変更
【補正の内容】
【特許請求の範囲】
【請求項１】
面状発光により読取位置の原稿を照明するアパーチャ付きの管状光源と、
この管状光源からの光の一部を反射させて前記読取位置の原稿を照明する反射板と、
を備え、
前記管状光源の前記アパーチャの中心指向方向が前記読取位置と前記反射板との中間位置よりも前記反射板寄りの位置に設定されている原稿照明装置。
【請求項２】
前記アパーチャの中心指向方向の前記反射板寄りの位置の程度は、前記管状光源と前記読取位置と前記反射板との位置関係に応じて設定されている請求項１記載の原稿照明装置。
【請求項３】
面状発光により読取位置の原稿を照明するアパーチャ付きの管状光源と、
この管状光源からの光の一部を反射させて前記読取位置の原稿を照明する反射板と、
を備え、
前記管状光源による直接照明光の前記読取位置での照度レベルと前記反射板による反射照明光の前記読取位置での照度レベルとが同等となるように前記管状光源と前記反射板との照明関係が規定されている原稿照明装置。
【請求項４】
前記管状光源の前記アパーチャの中心指向方向により、前記管状光源と前記反射板との照明関係が規定されている請求項３記載の原稿照明装置。
【請求項５】
前記管状光源の前記読取位置に対する直接照明光の一部を遮光部材により遮光することにより、前記管状光源と前記反射板との照明関係が規定されている請求項３記載の原稿照明装置。
【請求項６】
前記反射板は、前記読取位置に焦点を持つ放物面状の断面形状を有する請求項１ないし５の何れか一記載の原稿照明装置。
【請求項７】
前記反射板は、その反射照明光の照度分布のピーク位置が前記読取位置に一致するように配設されている請求項６記載の原稿照明装置。
【請求項８】
前記管状光源は、キセノンランプである請求項１ないし７の何れか一記載の原稿照明装置。
【請求項９】 
読取位置の原稿を照明する請求項１ないし８の何れか一記載の原稿照明装置と、 
この原稿照明装置により照明された前記原稿からの反射光を受光するライン状の光電変換素子と、
前記原稿からの反射光を前記光電変換素子に対して結像させる結像光学系と、を備える原稿読取装置。
【請求項１０】 
前記原稿照明装置が原稿に対して副走査方向に移動する原稿固定方式である請求項９記載の原稿読取装置。
【請求項１１】 
前記原稿照明装置が位置固定され、原稿が副走査方向に移動する原稿移動方式である請求項９記載の原稿読取装置。
【請求項１２】 
請求項９ないし１１の何れか一記載の原稿読取装置と、 
この原稿読取装置の光電変換素子により読取られた原稿画像に基づいて画像を用紙に形成する画像形成部と、 
を備える画像形成装置。
【手続補正３】
【補正対象書類名】明細書
【補正対象項目名】０００１
【補正方法】変更
【補正の内容】
【０００１】
【発明の属する技術分野】
本発明は、原稿照明装置、原稿読取装置及び画像形成装置に関する。
【手続補正４】
【補正対象書類名】明細書
【補正対象項目名】０００２
【補正方法】変更
【補正の内容】
【０００２】
【従来の技術】
一般に、原稿読取装置では、ガラス等の透明部材で構成された原稿台面上を搬送され又は載置された原稿を光源からの光で照明し、これを光学的に走査し、原稿からの反射光を１次元ＣＣＤ等の光電変換素子に結像させ、その受光量に応じた蓄積電荷量を電気的なアナログ信号として出力し、最終的にデジタル信号に変換してプリンタ装置等に出力するように構成されている。
【手続補正５】
【補正対象書類名】明細書
【補正対象項目名】０００３
【補正方法】変更
【補正の内容】
【０００３】
このような原稿読取装置で、原稿を照明するための光源としては、ハロゲンランプやキセノンランプ等が用いられる。特に、１次元ＣＣＤ等の光電変換素子を用いて原稿画像をデジタル信号として読取る原稿読取装置では、高輝度・省電力・低発熱量の観点から、従来のハロゲンランプに代えてキセノンランプが多用されつつある。
【手続補正６】
【補正対象書類名】明細書
【補正対象項目名】００３５
【補正方法】変更
【補正の内容】
【００３５】
請求項９記載の発明の原稿読取装置は、読取位置の原稿を照明する請求項１ないし８の何れか一記載の原稿照明装置と、この原稿照明装置により照明された前記原稿からの反射光を受光するライン状の光電変換素子と、前記原稿からの反射光を前記光電変換素子に対して結像させる結像光学系と、を備える。
【手続補正７】
【補正対象書類名】明細書
【補正対象項目名】００３７
【補正方法】変更
【補正の内容】
【００３７】
請求項１０記載の発明は、請求項９記載の原稿読取装置において、前記原稿照明装置が原稿に対して副走査方向に移動する原稿固定方式である。
【手続補正８】
【補正対象書類名】明細書
【補正対象項目名】００３９
【補正方法】変更
【補正の内容】
【００３９】
請求項１１記載の発明は、請求項９記載の原稿読取装置において、前記原稿照明装置が位置固定され、原稿が副走査方向に移動する原稿移動方式である。
【手続補正９】
【補正対象書類名】明細書
【補正対象項目名】００４１
【補正方法】変更
【補正の内容】
【００４１】
請求項１２記載の発明の画像形成装置は、請求項９ないし１１の何れか一記載の原稿読取装置と、この原稿読取装置の光電変換素子により読取られた原稿画像に基づいて画像を用紙に形成する画像形成部と、を備える。
【手続補正１０】
【補正対象書類名】明細書
【補正対象項目名】００４２
【補正方法】変更
【補正の内容】
【００４２】
従って、請求項９ないし１１の何れか一記載の原稿読取装置を備えているので、原稿面に凹凸のある原稿に基づく複写時にも、その凹凸部分で原稿影を生ずることのない読取り・複写が可能となり、鮮明な複写物を得ることができる。
【手続補正１１】
【補正対象書類名】明細書
【補正対象項目名】００４３
【補正方法】変更
【補正の内容】
【００４３】
【発明の実施の形態】
本発明の第一の実施の形態を図１ないし図３に基づいて説明する。本実施の形態は、フラットベッドタイプ（原稿固定方式）の原稿読取装置への適用例を示す。
【手続補正１２】
【補正対象書類名】明細書
【補正対象項目名】００４４
【補正方法】変更
【補正の内容】
【００４４】
まず、原稿読取装置の全体構成を概略的に説明する。図１は、本実施の形態の原稿読取装置を概略的に示す縦断側面図である。原稿読取装置１は、上面に原稿載置用のコンタクトガラス２を備える筐体形状のスキャナハウジング（スキャナ機枠）３を有する。
【手続補正１３】
【補正対象書類名】明細書
【補正対象項目名】００６３
【補正方法】変更
【補正の内容】
【００６３】
本発明の第四の実施の形態を図６に基づいて説明する。本実施の形態は、画像形成装置への適用例を示す。
【手続補正１４】
【補正対象書類名】明細書
【補正対象項目名】００６４
【補正方法】変更
【補正の内容】
【００６４】
図６は本実施の形態の画像形成装置を示す縦断側面図である。画像形成装置３０は、上側に配置された前述の実施の形態のような構成の原稿読取装置１と、この原稿読取装置で読み取った原稿の画像を用紙に形成する画像形成部としてのプリンタ装置３１を有している。
【手続補正１５】
【補正対象書類名】明細書
【補正対象項目名】００６５
【補正方法】変更
【補正の内容】
【００６５】
画像形成部３１内には、シート状の用紙を積層保持する給紙トレイ３２あるいは手差しでの用紙を受付ける手差しトレイ３３から、プリンタエンジン３４、定着ユニット３５を介して排紙スタッカ部３６へ至る用紙搬送路３７が形成されている。
【手続補正１６】
【補正対象書類名】明細書
【補正対象項目名】００６７
【補正方法】変更
【補正の内容】
【００６７】
また、画像形成部３１内には、片面に画像を形成した用紙を反転するための用紙反転機構４３が設けられている。
【手続補正１７】
【補正対象書類名】明細書
【補正対象項目名】００６８
【補正方法】変更
【補正の内容】
【００６８】
このような構成において、原稿読取装置１で読取った原稿画像を画像形成部３１で形成する場合、読取り対象となる原稿Ｄに切り貼り等の凹凸がある場合でも、その凹凸による原稿影の生ずることのない原稿露光、原稿読取りが可能で、読取り画像品質が高いため、再現性の良好な画像を形成することができる。
【手続補正１８】
【補正対象書類名】明細書
【補正対象項目名】００６９
【補正方法】変更
【補正の内容】
【００６９】
なお、これらの実施の形態では、原稿読取装置１としてフラットベッドタイプ（原稿固定方式）への適用例で説明したが、図９（ｂ）等に示すようなシートスルータイプ（原稿移動方式＝読取位置固定）についても同様に適用することができる。
【手続補正１９】
【補正対象書類名】明細書
【補正対象項目名】００７９
【補正方法】変更
【補正の内容】
【００７９】
請求項９記載の発明の原稿読取装置によれば、請求項１ないし８の何れか一記載の原稿照明装置を備えるので、切り貼り等により原稿面に凹凸のある原稿の読取り時にも、原稿影の生じない照明がなされるので、鮮明な画像読取りが可能となる。
【手続補正２０】
【補正対象書類名】明細書
【補正対象項目名】００８０
【補正方法】変更
【補正の内容】
【００８０】
請求項１０記載の発明によれば、請求項９記載の原稿読取装置において、切り貼り原稿等を扱うことも多々ある原稿固定方式の場合において、原稿影の生じない照明がなされるので、鮮明な画像読取りが可能となる。
【手続補正２１】
【補正対象書類名】明細書
【補正対象項目名】００８１
【補正方法】変更
【補正の内容】
【００８１】
請求項１１記載の発明によれば、請求項９記載の原稿読取装置において、原稿移動方式に従い搬送される原稿の先端や後端等のように段差のある部分の読取りに際しても、原稿影の生じない照明がなされるので、鮮明な画像読取りが可能となる。
【手続補正２２】
【補正対象書類名】明細書
【補正対象項目名】００８２
【補正方法】変更
【補正の内容】
【００８２】
請求項１２記載の発明の画像形成装置によれば、請求項９ないし１１の何れか一記載の原稿読取装置を備えているので、原稿面に凹凸のある原稿に基づく複写時にも、その凹凸部分で原稿影を生ずることのない読取り・複写が可能となり、鮮明な複写物を得ることができる。
【手続補正２３】
【補正対象書類名】明細書
【補正対象項目名】図面の簡単な説明
【補正方法】変更
【補正の内容】
【図面の簡単な説明】図
【図１】本発明の第一の実施の形態の原稿読取装置を概略的に示す縦断側面図である。
【図２】キセノンランプの構成例を示す側面図である。
【図３】原稿照明装置部分を拡大して示す側面図である。
【図４】本発明の第二の実施の形態の原稿照明装置部分を拡大して示す側面図である。
【図５】本発明の第三の実施の形態の原稿照明装置部分を拡大して示す側面図である。
【図６】本発明の第四の実施の形態の画像形成装置を概略的に示す縦断側面図である。
【図７】キセノンランプ１本方式の従来例の原稿照明装置部分を示す概略側面図である。
【図８】キセノンランプ２本方式の従来例の原稿照明装置部分を示す概略側面図である。
【図９】キセノンランプ１本＋反射板方式の従来例の原稿照明装置部分を示す概略側面図である。
【符号の説明】
１      原稿読取装置
４      キセノンランプ、管状光源
１１      光電変換素子
１５      結像光学系
１７      アパーチャ
１９      反射板
２０      原稿照明装置
２１      反射板
２２      遮光部材
３１      画像形成部
Ｄ      原稿
Ｐ      読取位置
Ｍ      中間位置
Ｌａ〜Ｌｆ      照度レベル